【手続補正書】
【提出日】平成19年6月15日(2007.6.15)
【手続補正１】
【補正対象書類名】特許請求の範囲
【補正対象項目名】全文
【補正方法】変更
【補正の内容】
【特許請求の範囲】
【請求項１】
患者の椎間板線維輪の開口を治療する装置であって、前記装置は、多数の糸状要素で形成され、放射状の直径を有する円筒体と、該円筒体の長手方向寸法の範囲を定める第１端部及び第２端部と、を備え、第１形状と第２形状とを有し、前記第２形状は、前記装置の使用状態で、前記長手方向寸法の少なくとも一部分に沿って相対的に大きな放射状の直径を有することを特徴とする装置。
【請求項２】
前記円筒体は、前記第１形状では、椎間板の修復の必要な線維輪空間に、前記開口を通じて挿入される大きさであり、前記第２形状では、前記装置が配置されて、前記開口を少なくとも部分的に覆う大きさになることを特徴とする請求項１に記載の装置。
【請求項３】
前記第２形状は、前記第１形状よりも相対的に短い長手方向寸法となることを特徴とする請求項１に記載の装置。
【請求項４】
ステントの少なくとも一部分が、少なくとも部分的に軟性の生体適合性素材で形成されることを特徴とする請求項１に記載の装置。
【請求項５】
ステントの少なくとも一部分が、少なくとも部分的に生体吸収性素材で形成されることを特徴とする請求項１に記載の装置。
【請求項６】
ステントの少なくとも一部分が、少なくとも部分的にナイロンで形成されることを特徴とする請求項１に記載の装置。
【請求項７】
ステントの少なくとも一部分が、少なくとも部分的に織られることによって形成されるを特徴とする請求項１に記載の装置。
【請求項８】
ステントの少なくとも一部分が、少なくとも部分的に編まれることによって形成されることを特徴とする請求項１に記載の装置。
【請求項９】
前記糸状要素は、少なくとも膠原素材の１つで形成されることを特徴とする請求項１に記載の装置。
【請求項１０】
前記膠原素材は、少なくとも同種移植片の１つで形成されることを特徴とする請求項９に記載の装置。
【請求項１１】
前記膠原素材は、少なくとも自己移植片の１つで形成されることを特徴とする請求項９に記載の装置。
【請求項１２】
前記膠原素材は、少なくとも異種移植片の１つで形成されることを特徴とする請求項９に記載の装置。
【請求項１３】
前記装置の少なくとも一部分が、少なくともポリエチレンの１つで形成されることを特徴とする請求項１に記載の装置。
【請求項１４】
前記装置の少なくとも一部分が、少なくともポリエチレンテレフタレートの１つで形成されることを特徴とする請求項１に記載の装置。
【請求項１５】
前記軟性の生体適合性素材が、ニッケルチタン合金を含んで構成されることを特徴とする請求項４に記載の装置。
【請求項１６】
前記装置は、組織の再生を促進する素材を含んで構成されることを特徴とする請求項１に記載の装置。
【請求項１７】
前記組織の再生を促進する素材は、成長因子であることを特徴とする請求項１６に記載の装置。
【請求項１８】
前記装置は、組織の内成長を促進する素材を含んで構成されることを特徴とする請求項１に記載の装置。
【請求項１９】
前記線維輪に前記装置を固着する少なくとも１つの固定要素をさらに含んで構成されることを特徴とする請求項１に記載の装置。
【請求項２０】
前記第２形状に拡がった状態に前記装置を維持する係止要素をさらに含んで構成されることを特徴とする請求項１に記載の装置。
【請求項２１】
椎間板線維輪における開口を治療又は予防的に治療するためのシステムであって、
該システムは、
横寸法を有する本体と、横寸法を有する第１端部及び横寸法を有する第２端部と、を含んで構成された装置と、前記第１端部及び前記第２端部は、前記本体の長手方向寸法の範囲を定め、前記本体は、前記第１端部と前記第２端部との間に広がる複数の糸状体を含み、前記装置は、第１形状と第２形状とを備え、前記第２形状となるように、前記装置が使用されると、前記本体の前記糸状体は、前記本体が前記長手方向寸法の少なくとも一部分に沿った前記第１端部及び前記第２端部の横寸法よりも相対的に大きな横寸法によって特徴づけられるように、放射状に置き換えられ、及び、
前記線維輪に前記装置を固着する少なくとも１つの固定要素と、
を含んで構成され、
前記装置は、前記第２形状において、前記線維輪内壁に少なくとも部分的に付着することを特徴とするシステム。
【請求項２２】
前記装置は、開拡可能な編み込み体を含んで構成されることを特徴とする請求項２１に記載のシステム。
【請求項２３】
前記装置は、開拡可能な織り込み体を含んで構成されることを特徴とする請求項２１に記載のシステム。
【請求項２４】
前記装置は、前記第２形状において、少なくとも部分的に前記線維輪開口に架かるように構成されることを特徴とする請求項２１に記載のシステム。
【請求項２５】
前記少なくとも１つの固定要素は、前記装置の前記糸状体に固定されることを特徴とする請求項２１に記載のシステム。
【請求項２６】
前記少なくとも１つの固定要素は、縫合素材を含んで構成されることを特徴とする請求項２１に記載のシステム。
【請求項２７】
前記少なくとも１つの固定要素は、アンカリング要素を含んで構成されることを特徴とする請求項２１に記載のシステム。
【請求項２８】
前記アンカリング要素は、バーブ、外科用綿撒糸、Ｔ字状のアンカー又は結び目であることを特徴とする請求項２７に記載のシステム。
【請求項２９】
前記少なくとも１つの固定要素は、接着素材であることを特徴とする請求項２１に記載のシステム。
【請求項３０】
前記接着素材は、シアノアクリレートを成分とすることを特徴とする請求項２９に記載のシステム。
【請求項３１】
前記接着素材は、少なくともタンパク質ポリマーを成分とすることを特徴とする請求項２９に記載のシステム。
【請求項３２】
前記接着素材は、少なくともフィブリンを成分とすることを特徴とする請求項２９に記載のシステム。
【請求項３３】
前記接着素材は、少なくともポリウレタンを成分とすることを特徴とする請求項２９に記載のシステム。
【請求項３４】
前記少なくとも１つの固定要素は、前記線維輪に送出される前に前記装置と一体にされることを特徴とする請求項２１に記載のシステム。
【請求項３５】
前記第２形状に拡がった状態に前記装置を維持する係止要素をさらに含んで構成されることを特徴とする請求項２１に記載の装置。
【請求項３６】
患者の椎間板線維輪における開口を治療するための装置であって、
前記装置は、横寸法を有し、糸状体で形成された本体と、横寸法を有する第１端部及び横寸法を有する第２端部と、を含んで構成され、前記第１端部及び前記第２端部は、前記本体の長手方向寸法の範囲を定め、前記装置は、第１形状と第２形状とを備え、前記第２形状となるように、前記装置が使用されると、前記本体の前記糸状体は、前記本体が前記長手方向寸法の少なくとも一部分に沿った前記第１端部及び前記第２端部の横寸法よりも相対的に大きな横寸法によって特徴づけられるように、放射状に置き換えられ、
前記本体は、前記第１形状において、前記椎間板線維輪における開口を介して前記線維輪の空間に実質的に完全に挿入される大きさに設定され、及び、少なくとも部分的に前記開口に架かるように前記第２形状で配置され、及び、
前記第２形状は、該第２形状において、前記第１形状よりも比較的に小さい長手方向寸法によって特徴づけられる、
ことを特徴とする装置。
【請求項３７】
前記装置の少なくとも一部分が、少なくとも軟性の生体適合性素材の１つで形成されることを特徴とする請求項３６に記載の装置。
【請求項３８】
前記装置の少なくとも一部分が、少なくとも生体吸収性素材又は生体分解性素材の１つで形成されることを特徴とする請求項３６に記載の装置。
【請求項３９】
前記装置の少なくとも一部分が、少なくとも部分的に織られることによって形成されることを特徴とする請求項３６に記載の装置。
【請求項４０】
前記装置の少なくとも一部分が、少なくとも部分的に編まれることによって形成されることを特徴とする請求項３６に記載の装置。
【請求項４１】
前記糸状要素は、少なくとも膠原素材の１つで形成されることを特徴とする請求項３６に記載の装置。
【請求項４２】
前記装置の少なくとも一部分が、少なくともポリエチレンの１つで形成されることを特徴とする請求項３６に記載の装置。
【請求項４３】
前記装置の少なくとも一部分が、少なくともポリエチレンテレフタレートの１つで形成されることを特徴とする請求項３６に記載の装置。
【請求項４４】
前記軟性の生体適合性素材が、ニッケルチタン合金を含んで構成されることを特徴とする請求項３７に記載の装置。
【請求項４５】
前記装置は、組織の再生を促進する素材を含んで構成されることを特徴とする請求項３６に記載の装置。
【請求項４６】
前記組織の再生を促進する素材は、成長因子であることを特徴とする請求項４５に記載の装置。
【請求項４７】
前記装置は、組織の内成長を促進する素材を含んで構成されることを特徴とする請求項３６に記載の装置。
【請求項４８】
前記線維輪に前記装置を固着する少なくとも１つの固定要素をさらに含んで構成されることを特徴とする請求項３６に記載の装置。
【請求項４９】
前記第２形状に拡がった状態に前記装置を維持する係止要素をさらに含んで構成されることを特徴とする請求項３６に記載の装置。
【請求項５０】
前記第２形状において、前記装置が使用されると、前記本体の前記糸状体は、前記長手方向寸法の少なくとも一部分に沿った前記第１端部及び前記第２端部の横寸法よりも相対的に大きな横寸法によって特徴づけられることを特徴とする請求項１に記載の装置。
【請求項５１】
前記第２形状において、前記装置が使用されると、前記本体の前記糸状体は、前記長手方向寸法の少なくとも一部分に沿った前記第１端部及び前記第２端部の横寸法よりも相対的に大きな横寸法によって特徴づけられることを特徴とする請求項２１に記載の装置。
【請求項５２】
患者の椎間板線維輪の開口における欠損箇所を治療するための医療装置であって、
前記医療装置は、中間セクションと複数の端部とを含む本体を含んで構成され、前記中間セクションは、前記複数の端部の間を伸びる複数の伸長部材を含み、前記中間セクションは、送出形状と展開形状との間で、横方向に拡大可能で且つ長手方向に収縮可能であり、
少なくとも前記中間セクションは、前記送出形状で前記欠損箇所よりも小さいサイズとされ、及び、
前記中間セクションの少なくとも一部分は、前記伸長部材の少なくとも幾つかが前記椎間板に存在する前記欠損箇所に少なくとも部分的に架かるように、前記展開形状で前記欠損箇所よりも大きなサイズとされる、
ことを特徴とする医療装置。
【請求項５３】
前記中間セクションは、前記展開形状において、前記端部よりも横方向に大きいことを特徴とする請求項５２に記載の医療装置。
【請求項５４】
前記展開形状で前記医療装置を固定する係止機構をさらに含んで構成されることを特徴する請求項５２に記載の医療装置。
【請求項５５】
前記送出形状乃至前記展開形状に前記医療装置を作動させる長手方向作動機構をさらに含んで構成されることを特徴とする請求項５２に記載の医療装置。
【請求項５６】
前記伸長部材は、編まれていることを特徴とする請求項５２に記載の医療装置。
【請求項５７】
前記医療装置の少なくとも一部分が、少なくとも軟性の生体適合性素材の１つで形成されることを特徴とする請求項５２に記載の医療装置。
【請求項５８】
前記医療装置の少なくとも一部分が、少なくとも生体吸収性素材又は生体分解性素材の１つで形成されることを特徴とする請求項５２に記載の医療装置。
【請求項５９】
前記医療装置の少なくとも一部分が、少なくとも部分的に織られることによって形成されることを特徴とする請求項５２に記載の医療装置。
【請求項６０】
前記医療装置の少なくとも一部分が、少なくとも部分的に編まれることによって形成されることを特徴とする請求項５２に記載の医療装置。
【請求項６１】
前記医療装置の少なくとも一部分が、少なくとも膠原素材の１つで形成されることを特徴とする請求項５２に記載の医療装置。
【請求項６２】
前記医療装置の少なくとも一部分が、少なくともポリエチレンの１つで形成されることを特徴とする請求項５２に記載の医療装置。
【請求項６３】
前記医療装置の少なくとも一部分が、少なくともポリエチレンテレフタレートの１つで形成されることを特徴とする請求項５２に記載の医療装置。
【請求項６４】
前記軟性の生体適合性素材が、ニッケルチタン合金を含んで構成されることを特徴とする請求項５７に記載の医療装置。
【請求項６５】
前記医療装置は、組織の再生を促進する素材を含んで構成されることを特徴とする請求項５２に記載の医療装置。
【請求項６６】
前記組織の再生を促進する素材は、成長因子であることを特徴とする請求項６５に記載の医療装置。
【請求項６７】
前記医療装置は、組織の内成長を促進する素材を含んで構成されることを特徴とする請求項５２に記載の医療装置。
【請求項６８】
前記線維輪に前記医療装置を固着する少なくとも１つの固定要素をさらに含んで構成されることを特徴とする請求項５２に記載の医療装置。
【請求項６９】
前記展開形状に前記医療装置を維持する係止要素をさらに含んで構成されることを特徴とする請求項５２に記載の医療装置。
【請求項７０】
患者の椎間板線維輪の開口における欠損箇所を治療するための医療装置であって、
前記医療装置は、中間セクションと複数の端部とを含む本体を含んで構成され、前記中間セクションは、前記複数の端部の間を伸びる複数の伸長糸状体を含み、前記中間セクションの前記伸長糸状体は、送出形状と展開形状との間で、横方向に拡大可能であり且つ長手方向に収縮可能であり、
少なくとも前記中間セクションは、前記送出形状で前記欠損箇所よりも小さいサイズとされ、及び、
前記中間セクションの少なくとも一部分は、前記伸長糸状体の少なくとも幾つかが前記椎間板に存在する前記欠損箇所に少なくとも部分的に架かるように、前記展開形状で前記欠損箇所よりも大きなサイズとされる、
ことを特徴とする医療装置。
【請求項７１】
前記中間セクションは、前記展開形状において、前記端部よりも横方向に大きいことを特徴とする請求項７０に記載の医療装置。
【請求項７２】
前記展開形状で前記医療装置を固定する係止機構をさらに含んで構成されることを特徴する請求項７０に記載の医療装置。
【請求項７３】
前記送出形状乃至前記展開形状に前記医療装置を作動させる長手方向作動機構をさらに含んで構成されることを特徴とする請求項７０に記載の医療装置。
【請求項７４】
前記医療装置の少なくとも一部分が、少なくとも軟性の生体適合性素材の１つで形成されることを特徴とする請求項７０に記載の医療装置。
【請求項７５】
前記医療装置の少なくとも一部分が、少なくとも生体吸収性素材又は生体分解性素材の１つで形成されることを特徴とする請求項７０に記載の医療装置。
【請求項７６】
前記医療装置の少なくとも一部分が、少なくとも部分的に織られることによって形成されることを特徴とする請求項７０に記載の医療装置。
【請求項７７】
前記医療装置の少なくとも一部分が、少なくとも部分的に編まれることによって形成されることを特徴とする請求項７０に記載の医療装置。
【請求項７８】
前記医療装置の少なくとも一部分が、少なくとも膠原素材の１つで形成されることを特徴とする請求項７０に記載の医療装置。
【請求項７９】
前記医療装置の少なくとも一部分が、少なくともポリエチレンの１つで形成されることを特徴とする請求項７０に記載の医療装置。
【請求項８０】
前記医療装置の少なくとも一部分が、少なくともポリエチレンテレフタレートの１つで形成されることを特徴とする請求項７０に記載の医療装置。
【請求項８１】
前記医療装置は、組織の再生を促進する素材を含んで構成されることを特徴とする請求項７０に記載の医療装置。
【請求項８２】
前記組織の再生を促進する素材は、成長因子であることを特徴とする請求項８１に記載の医療装置。
【請求項８３】
前記医療装置は、組織の内成長を促進する素材を含んで構成されることを特徴とする請求項７０に記載の医療装置。
【請求項８４】
前記線維輪に前記医療装置を固着する少なくとも１つの固定要素をさらに含んで構成されることを特徴とする請求項７０に記載の医療装置。
【請求項８５】
前記展開形状に前記医療装置を維持する係止要素をさらに含んで構成されることを特徴とする請求項７０に記載の医療装置。
【請求項８６】
患者の椎間板線維輪の開口における欠損箇所を治療するための医療装置であって、
前記医療装置は、中間セクションと複数の端部とを含む本体を含んで構成され、前記中間セクションは、前記複数の端部の間を伸びる複数の横方向への拘束を受けない伸長部材を含み、前記中間セクションの前記伸長部材は、送出形状と展開形状との間で、横方向に拡大可能であり且つ長手方向に収縮可能であり、
少なくとも前記中間セクションは、前記送出形状で前記欠損箇所よりも小さいサイズとされ、及び、
前記中間セクションの少なくとも一部分は、前記伸長部材の少なくとも幾つかが前記椎間板に存在する前記欠損箇所に少なくとも部分的に架かるように、前記展開形状で前記欠損箇所よりも大きなサイズとされる、
ことを特徴とする医療装置。
【請求項８７】
前記中間セクションは、前記展開形状において、前記端部よりも横方向に大きいことを特徴とする請求項８６に記載の医療装置。
【請求項８８】
前記展開形状で前記医療装置を固定する係止機構をさらに含んで構成されることを特徴する請求項８６に記載の医療装置。
【請求項８９】
前記送出形状乃至前記展開形状に前記医療装置を作動させる長手方向作動機構をさらに含んで構成されることを特徴とする請求項８６に記載の医療装置。
【請求項９０】
前記医療装置の少なくとも一部分が、少なくとも軟性の生体適合性素材の１つで形成されることを特徴とする請求項８６に記載の医療装置。
【請求項９１】
前記医療装置の少なくとも一部分が、少なくとも生体吸収性素材又は生体分解性素材の１つで形成されることを特徴とする請求項８６に記載の医療装置。
【請求項９２】
前記医療装置の少なくとも一部分が、少なくとも部分的に織られることによって形成されることを特徴とする請求項８６に記載の医療装置。
【請求項９３】
前記医療装置の少なくとも一部分が、少なくとも部分的に編まれることによって形成されることを特徴とする請求項８６に記載の医療装置。
【請求項９４】
前記医療装置の少なくとも一部分が、少なくとも膠原素材の１つで形成されることを特徴とする請求項８６に記載の医療装置。
【請求項９５】
前記医療装置の少なくとも一部分が、少なくともポリエチレンの１つで形成されることを特徴とする請求項８６に記載の医療装置。
【請求項９６】
前記医療装置の少なくとも一部分が、少なくともポリエチレンテレフタレートの１つで形成されることを特徴とする請求項８６に記載の医療装置。
【請求項９７】
前記医療装置は、組織の再生を促進する素材を含んで構成されることを特徴とする請求項８６に記載の医療装置。
【請求項９８】
前記組織の再生を促進する素材は、成長因子であることを特徴とする請求項９７に記載の医療装置。
【請求項９９】
前記医療装置は、組織の内成長を促進する素材を含んで構成されることを特徴とする請求項８６に記載の医療装置。
【請求項１００】
前記線維輪に前記医療装置を固着する少なくとも１つの固定要素をさらに含んで構成されることを特徴とする請求項８６に記載の医療装置。
【請求項１０１】
前記展開形状に前記医療装置を維持する係止要素をさらに含んで構成されることを特徴とする請求項８６に記載の医療装置。
【請求項１０２】
前記伸長部材は、糸状体を含んで構成されることを特徴とする請求項８６に記載の医療装置。
【請求項１０３】
患者の椎間板線維輪の開口における欠損箇所を治療するための医療システムであって、
中間セクションと複数の端部とを含む本体を備える装置と、前記中間セクションは、前記複数の端部の間を伸びる複数の伸長部材を含み、前記中間セクションの前記伸長部材は、送出形状と展開形状との間で、横方向に拡大可能であり且つ長手方向に収縮可能であり、少なくとも前記中間セクションは、前記送出形状で前記欠損箇所よりも小さいサイズとされ、及び、前記中間セクションの少なくとも一部分は、前記伸長部材の少なくとも幾つかが前記椎間板に存在する前記欠損箇所に少なくとも部分的に架かるように、前記展開形状で前記欠損箇所よりも大きなサイズとされ、
前記椎間板に前記装置を送出する固定シャフトを備える送出具と、
を含んで構成されることを特徴とする医療システム。
【請求項１０４】
前記中間セクションは、前記展開形状において、前記端部よりも横方向に大きいことを特徴とする請求項１０３に記載の医療システム。
【請求項１０５】
前記展開形状で前記装置を固定する係止機構をさらに含んで構成されることを特徴する請求項１０３に記載の医療システム。
【請求項１０６】
前記送出形状乃至前記展開形状に前記装置を作動させる長手方向作動機構をさらに含んで構成されることを特徴とする請求項１０３に記載の医療システム。
【請求項１０７】
前記装置の少なくとも一部分が、少なくとも軟性の生体適合性素材の１つで形成されることを特徴とする請求項１０３に記載の医療システム。
【請求項１０８】
前記装置の少なくとも一部分が、少なくとも生体吸収性素材又は生体分解性素材の１つで形成されることを特徴とする請求項１０３に記載の医療システム。
【請求項１０９】
前記装置の少なくとも一部分が、少なくとも部分的に織られることによって形成されることを特徴とする請求項１０３に記載の医療システム。
【請求項１１０】
前記装置の少なくとも一部分が、少なくとも部分的に編まれることによって形成されることを特徴とする請求項１０３に記載の医療システム。
【請求項１１１】
前記装置の少なくとも一部分が、少なくとも膠原素材の１つで形成されることを特徴とする請求項１０３に記載の医療システム。
【請求項１１２】
前記装置の少なくとも一部分が、少なくともポリエチレンの１つで形成されることを特徴とする請求項１０３に記載の医療システム。
【請求項１１３】
前記装置の少なくとも一部分が、少なくともポリエチレンテレフタレートの１つで形成されることを特徴とする請求項１０３に記載の医療システム。
【請求項１１４】
前記装置は、組織の再生を促進する素材を含んで構成されることを特徴とする請求項１０３に記載の医療システム。
【請求項１１５】
前記組織の再生を促進する素材は、成長因子であることを特徴とする請求項１１４に記載の医療システム。
【請求項１１６】
前記装置は、組織の内成長を促進する素材を含んで構成されることを特徴とする請求項１０３に記載の医療システム。
【請求項１１７】
前記線維輪に前記装置を固着する少なくとも１つの固定要素をさらに含んで構成されることを特徴とする請求項１０３に記載の医療システム。
【請求項１１８】
前記展開形状に前記装置を維持する係止要素をさらに含んで構成されることを特徴とする請求項１０３に記載の医療システム。
【請求項１１９】
前記伸長部材は、糸状体を含んで構成されることを特徴とする請求項１０３に記載の医療システム。